(57)【要約】【課題】持ちやすい一本の持ち手のついた巾着バッグを提供する。【解決手段】片締めである一本紐の巾着においては、巾着の口の対称の位置に紐通し口を設け、巾着の口に通した紐を両側から出せるようにし、両側の紐を一本の持ち手で繋いだ一本紐の巾着バッグとする。この時、巾着の口の周囲に通っている紐が、両側の紐通し口から出る余分の長さの紐と、持ち手を繋いだ長さは、巾着の口幅の長さ以上とする。両締めである二本紐の巾着においては、巾着の口の両側にある紐通し口の互いの紐を、一本の持ち手で繋いだ二本紐の巾着バッグとする。この時、巾着の口の周囲に通っている二本の紐が、両側の紐通し口から出るそれぞれの余分の長さの紐と、持ち手を繋いだ長さは、巾着の口幅の長さ以上とする。巾着の両側の紐を一本の持ち手で繋ぐことで、掴みやすく、すぐ手に取ることができ、持ち手を持つと巾着の口が締まる構造の巾着バッグとなる。【選択図】図１
2020192117.tif 000002
【特許請求の範囲】
【請求項１】
一本紐巾着の両側に設けた通し口に出ている紐を持ち手で繋いだ鞄
【請求項２】
二本紐巾着の両側の通し口に出ている互いの紐を持ち手で繋いだ鞄
【発明の詳細な説明】
【技術分野】
【０００１】
本発明は、一本の持ち手が付いた持ちやすい巾着に関するものである。
【背景技術】
【０００２】
巾着には、袋の口の周囲の縫い代の中に通した紐を引き締めて利用する形態の物と、袋の口の周囲に複数の穴をあけ、穴の中に通した紐を引き締めて利用する形態の物とがあり、
前記の、袋の口の周囲の縫い代の中に通した紐を引き締めて利用する形態の物には、袋の口の周囲の縫い代の中に一本の紐を通し、片側の紐通し口から紐を引き締めて利用する片締めタイプと、袋の口の周囲の縫い代の中に二本の紐を通し、両側の紐通し口からそれぞれの紐を引き締めて利用する両締めタイプがある。
【０００３】
袋の口の周囲の縫い代の中に通した紐を引き締めて利用するタイプの巾着は簡単に作ることができ、紐を引き締めるだけで袋の口を閉じる事ができ、使い勝手が良いため広く利用されている。
しかし、巾着を外出用の鞄として利用するために、巾着の紐を持ち手とする場合、
紐は安っぽく見える上、手提げとしても肩掛けとしても持ちにくく、一本紐の片締め巾着は紐を持つと袋が斜めに傾き、二本紐の両締め巾着は紐がバラバラになり手で掴みにくいため、巾着は鞄として利用するには適さない。
【０００４】
持ちにくい紐の巾着を鞄として利用するためには、巾着に手提げかばんのような二本の持ち手を取り付ける方法や、両締めである二本紐巾着の両側から引き出した紐の端を袋の下部の両側に取り付け簡易なリュックサックとして利用する方法などがある。
その他に、袋の両側に通し口を設けた両面の袋の口の縫い代の中に環状の硬質な持ち手を通し、二本の持ち手としている巾着バッグや、
前記のものと同様に、袋の両側に通し口を設けた両面の袋の口の縫い代の中に環状の紐の持ち手を通し、二本の持ち手としている巾着バッグなどもある。
また、両締めである二本紐巾着は、両側から出ている余分の紐を結び合わせて巾着の口幅以上の長さにすれば、口の開閉に支障が無く、一本の持ち手にすることができるので、このようなバッグも販売されている。
しかし、この両側から出ている余分の紐を結び合わせて一本の持ち手にしたバッグは、持ち手が引き締め紐の延長の輪になった紐であるため、バラバラになり掴みにくい。
【０００５】
片締めである一本紐巾着においては、紐の通し口は片側にしか無いため、両側の紐を結び合わせて持ち手にしたバッグは見当たらない。
【先行技術文献】
【特許文献】
【０００６】
【特許文献１】実登３０８８２９０
【特許文献２】実登３１９６９０５
【特許文献３】実全昭６０−０９８４２３
【発明の概要】
【発明が解決しようとする課題】
【０００７】
片締めである一本紐巾着の解決しようとする問題点は、紐が持ちにくく紐を持つと袋が傾く点であり、
両締めである二本紐巾着の解決しようとする問題点は、紐がバラバラになり手で掴みにくい点である。
上記の問題点を解決する、持ちやすい一本の持ち手のついた巾着バッグを提供する。
【課題を解決するための手段】
【０００８】
請求項１の発明は、片締めである一本紐巾着の両側に設けた通し口に出ている紐を持ち手で繋いだ鞄とする。
請求項２の発明は、両締めである二本紐巾着の両側の通し口に出ている互いの紐を持ち手で繋いだ鞄とする。
【発明の効果】
【０００９】
本発明の巾着バッグは、簡単に制作でき、一本の持ち手は掴みやすく、すぐ手に取ることができるようになっており、持ち手を持つと巾着の口が閉まる構造になっている。
【図面の簡単な説明】
【００１０】
【図１】口を開いた一本紐の巾着バッグの一例である。
【図２】図１の一本紐の巾着バッグの口を閉じた状態である。
【図３】口を開いた二本紐の巾着バッグの一例である。
【図４】図３の二本紐の巾着バッグの口を閉じた状態である。
【図５】一本紐の巾着バッグの持ち手に繋がる紐の形状を示した図である。
【図６】二本紐の巾着バッグの持ち手に繋がる紐の形状を示した図である。
【図７】一本紐の巾着バッグの活用例である。
【図８】一本紐の巾着バッグの活用例である。
【図９】一本紐の巾着バッグの活用例である。
【発明を実施するための形態】
【００１１】
最初に本発明の一本紐の巾着バッグ１０の実施例について説明する。
図１は一本紐の巾着バッグ１０の口を開いた状態である。
片締めである一本紐の巾着は、通常は紐の通し口は片側にしか無いため、両側の通し口の紐を持ち手で繋ぐことはできない。
そこで、巾着１の口の対称の位置に紐通し口４と５を設け、両側から紐３を出せるようにした巾着１の口の周囲６の縫い代に一本の紐３を通し、両側の紐３を一本の持ち手２で繋いでいる。
このとき、巾着１の口の周囲６に通っている紐３は巾着１の口の周囲６以上の長さが必要である。
また、一本紐の巾着バッグ１０の口をスムーズに開けるためには、巾着１の口の周囲６に通っている紐３が両側の紐通し口４、５から出る余分の長さの紐３と、持ち手２を繋いだ長さが、一本紐の巾着バッグ１０の口幅の長さ以上必要である。
【００１２】
図２は一本紐の巾着バッグ１０の口を閉じた状態である。
持ち手２を持ち上げると紐３が両側から引き締められ一本紐の巾着バッグ１０の口が閉まる構造となっている。
一本紐の巾着バッグ１０の口を引き締めたときの持ち手全体の長さは、一本紐の巾着バッグ１０の口幅の最低２倍程度となる。
【００１３】
次に本発明の二本紐の巾着バッグ２０の実施例について説明する。
図３は二本紐の巾着バッグ２０の口を開いた状態であり、口を開いた状態では一本紐の巾着バッグ１０と全く同じである。
両締めである二本紐の巾着バッグ２０の口の周囲１７の縫い代には二本の紐１３、１４が通っており、両側にある紐通し口１５と１６からそれぞれ一本ずつ互いの紐１３と１４を出し、一本の持ち手１２で繋いでいる。
このとき巾着１１の口の周囲１７に通っている二本の紐１３、１４はそれぞれ巾着１１の口の周囲１７以上の長さが必要である。
また、二本紐の巾着バッグ２０の口をスムーズに開けるためには、巾着１１の口の周囲１７に通っている二本の紐１３、１４が両側の紐通し口１５、１６から出るそれぞれの余分の長さの紐１３、１４と、持ち手１２を繋いだ長さが、二本紐の巾着バッグ２０の口幅の長さ以上必要である。
【００１４】
図４は二本紐の巾着バッグ２０の口を閉じた状態である。
二本紐の巾着バッグ２０は、持ち手１２に繋がっている互いの紐１３、１４を両側から外向きに引くと、口を引き締めることができる。
二本紐の巾着バッグ２０の口を引き締めたときの持ち手全体の長さは、二本紐の巾着バッグ２０の口幅の最低３倍程度となる。
二本紐の巾着バッグ２０は、厚手の張りのある素材でも口を引き締めることができるうえ、厚手の張りのある素材はしっかりと口が締まらない分、持ち手全体の長さが加減され、肩掛け鞄として使い勝手の良いものになり、持ち手１２を下ろしても口が開くことはない。
【００１５】
図５は一本紐の巾着バッグ１０の持ち手２に繋がる紐３の形状である。
紐３の結び目は、バッグや持ち手２のデザインに応じて目立たない場所で結び、持ち手２と紐３を繋ぐ方法は、素材やデザインに合わせて様々な方法が考えられる。
図６は二本紐の巾着バッグ２０の持ち手１２に繋がる紐１３と１４の形状を示している。
【００１６】
図７、図８、図９は一本紐の巾着バッグ１０の活用例である。
この例では、持ち手２は編み込んだ状態の紐３であり、点線で示している口の周囲６の縫い代の中に紐３が通っている。
巾着１の口の中心に紐３の結び目があり、持ち手２を持ち上げると図８のように巾着１の口が締まり利用することが出来る。
また、巾着１の口の中心の紐３の結び目をを引き締めて結び合わせると、図９のように口が閉まった状態のまま利用することが出来る。
巾着１は一般的な鞄と同様に様々なデザインが考えられ、すぐに手に取って利用することができる巾着バッグ１０となっている。
【符号の説明】
【００１７】
１    巾着      
２    持ち手    
３    紐        
４    紐通し口  
５    紐通し口  
６    口の周囲  
１０  一本紐の巾着バッグ
１１  巾着      
１２  持ち手    
１３  紐１      
１４  紐２      
１５  紐通し口  
１６  紐通し口  
１７  口の周囲  
２０  二本紐の巾着のバッグ
【図１】
2020192117.tif 000003
【図２】
2020192117.tif 000004
【図３】
2020192117.tif 000005
【図４】
2020192117.tif 000006
【図５】
2020192117.tif 000007
【図６】
2020192117.tif 000008
【図７】
2020192117.tif 000009
【図８】
2020192117.tif 000010
【図９】
2020192117.tif 000011